(57)【要約】【課題】複数のカード情報を携帯情報端末にダウンロードする時に、セキュリテイを保持したまま簡単にダウンロードを可能とする。【解決手段】カード発行事業者２又は３とカード認証方法ダウンロードサーバ４を備えるカード認証方法ダウンロードセンタ１とが専用線で接続され、カード認証方法ダウンロードサーバ４は、カード発行事業者ごとに本人認証のために設定されている認証方法を記憶する。カード発行事業者にアカウントを持つ携帯電話５の所有者は、携帯電話５にカード情報をダウンロードする時、カード認証方法ダウンロードサーバ４に接続してカード発行事業者を選択する。この時、カード認証方法ダウンロードサーバ４は、選択されたカード発行事業者に対応する認証方法を携帯電話５にダウンロードする。携帯電話５の所有者は、この認証方法に従って操作を行うことでカード情報を安全に簡単にダウンロードする。【選択図】図１
2004291585.tif 000002
【特許請求の範囲】
【請求項１】
顧客の所有する携帯情報端末に対し、本人認証のために設定されている認証方法をダウンロードするカード認証方法ダウンロードサーバであって、
カード発行事業者毎に前記認証方法を記憶するカード発行事業者登録ファイルと、
前記携帯情報端末からカード発行事業者の選択を受けた時に、その選択されたカード発行事業者に対応する認証方法を前記カード発行事業者登録ファイルから抽出して前記携帯情報端末にダウンロードする制御部と、
を備えてなるカード認証方法ダウンロードサーバ。
【請求項２】
前記認証方法は、認証用情報が入力されるときの入力インターフェイスを含んでいる請求項１記載のカード認証方法ダウンロードサーバ。
【請求項３】
前記認証方法は、入力された前記認証用情報を暗号化する暗号化プログラムを含んでいる請求項２記載のカード認証方法ダウンロードサーバ。
【請求項４】
前記カード発行事業者登録ファイルは、入力された前記認証用情報が送信されるカード発行事業者側のシステム内のアドレスをさらに記憶し、
前記制御部は、入力された前記認証用情報を前記選択されたカード発行事業者のアドレスに対して送信するとともに、カード発行事業者において本人認証がされたときに送信されてくるカード情報を前記携帯情報端末にダウンロードする、請求項１記載のカード認証方法ダウンロードサーバ。
【請求項５】
カード情報発行可能な携帯情報端末の固有番号を記憶する携帯情報端末ＩＤファイルを備え、
前記制御部は、携帯情報端末から前記カード発行事業者の選択を受けた時に、前記認証方法を該携帯情報端末に送信する前に、前記携帯情報端末ＩＤファイルを参照してその携帯情報端末がカード情報発行可能な端末であるか否かの端末認証を行う、請求項１記載のカード認証方法ダウンロードサーバ。
【請求項６】
携帯情報端末に搭載されるプログラムであって、
カード発行事業者の選択を受け付ける手順と、受け付けたカード発行事業者において本人認証のために設定されている認証方法をカード認証方法ダウンロードサーバから受信する手順と、受信した認証方法に従って入力された認証用情報をカード認証方法ダウンロードサーバを介してカード発行事業者に送信する手順と、カード発行事業者において本人であることが認証されることによりカード認証方法ダウンロードサーバから送られてくるカード情報を受信する手順と、をコンピュータに実行させるためのプログラム。
【請求項７】
顧客が所有する携帯情報端末と、本人認証のために設定されている認証方法を前記携帯情報端末に対してダウンロードするカード認証方法ダウンロードサーバとを備える、カード認証方法ダウンロードシステムであって、
前記カード認証方法ダウンロードサーバは、
カード発行事業者毎に前記認証方法を記憶するカード発行事業者登録ファイルと、
前記携帯情報端末からカード発行事業者の選択を受けた時に、その選択されたカード発行事業者に対応する認証方法を前記カード発行事業者登録ファイルから抽出して前記携帯情報端末にダウンロードする制御部と、
を備え、
前記携帯情報端末は、
カード発行事業者の選択を受け付ける手順と、受け付けたカード発行事業者において本人認証のために設定されている認証方法を前記カード認証方法ダウンロードサーバから受信する手順と、受信した認証方法に従って入力された認証用情報を前記カード認証方法ダウンロードサーバを介してカード発行事業者に送信する手順と、カード発行事業者において本人であることが認証されることによりカード認証方法ダウンロードサーバから送られてくるカード情報を受信する手順と、をコンピュータに実行させるためのプログラムを記憶した携帯情報端末と、
を備え、
前記携帯情報端末は、前記カード認証方法ダウンロードサーバから受信した認証方法に従って認証用情報を送信するようにしたことを特徴とするカード認証方法ダウンロードシステム。
【請求項８】
携帯情報端末の入力キーによってカード発行事業者の選択を受け付ける手順と、
カード発行事業者に対応して本人認証のために設定されている認証方法が記憶されているカード認証方法ダウンロードサーバ内のカード発行事業者登録ファイルを参照する手順であって、前記携帯情報端末の入力キーによって受け付けたカード発行事業者に対応した認証方法が前記カード発行事業者登録ファイルを参照されることにより抽出されてカード認証方法ダウンロードサーバから受信する手順と、
前記受信した認証方法に従って前記入力キーから入力された認証用情報を、送信部によりカード認証方法ダウンロードサーバを介してカード発行事業者に送信する手順と、
前記カード発行事業者において本人であることが認証されることによりカード認証方法ダウンロードサーバから送られてくるカード情報を受信部により受信する手順と、を備えるカード情報受信方法。
【発明の詳細な説明】
【０００１】
【発明の属する技術分野】
この発明は、クレジットカードやキャッシュカード等のカード情報を、情報の送受信可能な携帯情報端末に対して、たとえば無線パケット網を介してダウンロード可能なシステムに関する。特に、この発明は、本人認証のための入力インターフェイス等の認証方法を上記携帯情報端末に対してダウンロードするカード認証方法ダウンロードサーバ及びこの携帯情報端末に搭載されるプログラムに関する。
【０００２】
【従来の技術】
流通市場でもっぱら使用されているクレジットカードやキャッシュカードは、それ自体インテリジェントな通信機能を持たないために、カード発行に際しては、郵送等の手段を使用するしか方法がない。このため、発行に要する手続きが煩雑であったり、申込み日からカード取得にいたるまでの日数が一定期間必要であったりするなど幾つかの不便さが指摘されている。これに対して、携帯電話やＰＤＡ（Ｐｅｒｓｏｎａｌ  Ｄｉｇｉｔａｌ  Ａｓｓｉｓｔａｎｔｓ）等の携帯情報端末は、無線パケット網を介してサーバとの間で相互に情報の送受信が可能であり、且つ、多くの人が所持するまでに普及しているために、この携帯情報端末にカード情報を搭載して、これを従来のカードに代えて使用するできるようにする提案や試みがなされている（たとえば、特許文献１）。
【０００３】
【特許文献１】
特開２００２−２６２３４８号公報
上記の携帯情報端末にカード情報を搭載するには、携帯情報端末の機能を利用して、既に発行されているカードの所有者の要求に応じてサーバから同携帯情報端末にカード情報を転送することが必要である。そこで、以下の手法によってカード発行事業者（カード会社）の管理するサーバから携帯情報端末に対してカード情報を転送することが考えられる。
【０００４】
（１）カード所有者がカード発行事業者（カード会社）の管理下にあるサーバのＷｅｂサイトにアクセスして、カード情報のダウンロードを要求する。この時、カード所有者は上記ＷｅｂサイトのＵＲＬを入力することが必要である。また、事前に上記Ｗｅｂサイトでのログインが出来るためのアカウントを取得していることが必要である。
【０００５】
（２）ログインがＯＫとなると、本人認証手続きに移る。この時、カード発行事業者のセキュリティ要件に従った本人認証手続きが要求される。たとえば、あるカード発行事業者ではＩＤとパスワードによる認証手続きが採用されるが、他のカード発行事業者では顔認証（ＣＣＤカメラで撮像した顔の照合手続き）が必要である。カード発行事業者によって、このように本人認証手続きが異なるために、その認証のためのプログラムをカード発行事業者から携帯情報端末に対してダウンロードする。
【０００６】
（３）カード所有者は、そのプログラムを起動して、所定の認証手続きを行う。認証がＯＫとなれば、カード発行事業者からカード情報が携帯情報端末に対してダウンロードされる。なお、カード情報とは、数値・符号列で定義されるカードデータのみであってもよいし、このカードデータと同データを利用するために（ＣＡＴ等に送信したりする手続きを行うために）必要なプログラム等を含むものてあってもよい。
【０００７】
【発明が解決しようとする課題】
しかしながら、上記の方法では、カード所有者は、カード発行事業者ごとに手動でＵＲＬを入力してログインする必要があり、カード情報をダウンロードするまでの操作が非常に煩雑となる不都合がある。特に、１つの携帯情報端末に複数のカード情報をダウンロードする時には、カード情報ごとに異なったＷｅｂサイトに接続することが必要になるため、複数のクレジットカードや複数のキャッシュカードを所有するカード所有者にとっては、カード情報のダウンロードのために相当の時間を費やすことになる。
【０００８】
この発明の目的は、複数のカード情報を携帯情報端末にダウンロードする時に、セキュリテイを保持したまま簡単にダウンロードを可能とするサーバ及びこのサーバに接続される携帯情報端末に搭載されるプログラムを提供することにある。
【０００９】
【課題を解決するための手段】
この発明は、顧客の所有する携帯情報端末に本人認証のために設定されている認証方法をダウンロードするカード認証方法ダウンロードサーバであって、
カード発行事業者毎に前記認証方法を記憶するカード発行事業者登録ファイルと、
前記携帯情報端末からカード発行事業者の選択を受けた時に、その選択されたカード発行事業者に対応する認証方法を前記カード発行事業者登録ファイルから抽出して前記携帯情報端末にダウンロードする制御部と、
を備えることを特徴とする。
【００１０】
この発明のカード認証方法ダウンロードサーバは、複数のカード発行事業者と専用線等の高セキュリテイ通信インフラによって接続される。このサーバには、契約に基づき、各カード発行事業者の認証方法を記憶するカード発行者登録ファイルが設けられている。
【００１１】
認証方法とは、ここでは、認証情報入力のための入力インターフェイスを少なくとも含む情報をいう。認証方法には、さらに、これに加えて、入力情報を暗号化するための暗号化プログラム（暗号化アルコリズム）を含ませることが出来る。認証とは、本人認証をいう。入力インターフェイスは、あるカード発行事業者ではＩＤとパスワードを入力するためのインターフェイスであるが、他のカード発行事業者では、ＣＣＤカメラで撮像した顔データの入力インターフェイスであったりする。また、暗号化アルコリズムは、あるカード発行事業者ではＤＥＳ方式の暗号化アルコリズムであるが、他のカード発行事業者では、それ以外の暗号化アルコリズムであったりする。
【００１２】
携帯情報端末は、カード情報をダウンロードしたい時に、上記カード認証方法ダウンロードサーバに接続する。この時、携帯情報端末の所有者は、カード認証方法ダウンロードサーバのサイト（インターネットではＷｅｂサイト）のアドレス（インターネットではＵＲＬ）を入力するが、その時にダウンロードを希望するカード情報の登録サイト（すなわち、カード発行事業者のサイト）のアドレス（ＵＲＬ）を知る必要はない。さらに、このカード認証方法ダウンロードサーバに自動接続するためのプログラムを、もし、事前に内蔵しておくことが出来れば、或いは、事前に特定のサイトからダウンロードをしておけば、このプログラムを起動するだけで同サーバに自動的に接続することができる。
【００１３】
カード認証方法ダウンロードサーバは、カード発行事業者ごとの認証方法を記憶したカード発行事業者登録ファイルを持っている。そこで、携帯情報端末がこのサーバに接続した時にカード発行事業者の選択をすると、その選択されたカード発行事業者に対応して設定されている認証方法をこのカード発行事業者登録ファイルから抽出して携帯情報端末にダウンロードする。この認証方法がダウンロードされると、以下、この認証方法に従って本人認証が行われ、正当に認証されると、適切なカード情報が携帯情報端末に対してダウンロードされる。
【００１４】
別のカード発行事業者のカード情報をダウンロードする場合にも、上記と同様の手続きをする。すなわち、マニュアル又はプログラムによって自動的にカード認証方法ダウンロードサーバに接続し、カード発行事業者の選択をすることによって、自動的にそのカード発行事業者に設定されている認証方法がダウンロードされるから、携帯情報端末の所有者はカード発行事業者のサイトを知らなくても、適切な認証方法を得ることができる。複数のカード情報をダウンロードしようとする場合も同様である。そして、カード情報のダウンロードの前に行われる本人認証手続きは、カード発行事業者に対応した認証方法で行われるために、携帯情報端末の所有者は、各カード発行事業者からどのような認証方法が適用されるかを予め知っておかなくても、画面に表れる認証手続きに従って入力すればよいだけである。このため、全体として操作が極めて簡易なものとなる。また、各カード発行事業者は、カード情報発行のためのサイトの設定や必要なプログラム開発、メンテナンス管理等の負担から解放される。
【００１５】
【発明の実施の形態】
図１は、カード情報発行システムの概略の構成図である。
【００１６】
このシステムは、カード認証方法ダウンロードセンタ１を、カード会社２及び金融機関３に専用線で接続して構成される。カード会社２及び金融機関３は、この図ではそれぞれ１つ示しているが、実際はそれぞれ複数存在している。カード会社２及び金融機関３は、この発明のカード発行事業者である。
【００１７】
カード認証方法ダウンロードセンタ１は、カード認証方法ダウンロードサーバ（以下、単にダウンロードサーバ）４を備えている。ダウンロードサーバ４は、後述のように、携帯情報端末の一例である携帯電話に対して、カード所有者からの要求に応じてそのカード所有者が所有する携帯電話に対し認証方法をダウンロードする。携帯電話５は、パケット網６を介してダウンロードサーバ４に接続することができ、所定の操作を行うことによって携帯電話所有者が選択したカード会社２又は金融機関３に対応している認証方法をダウンロード受信する。また、携帯電話５は、上記認証方法をダウンロードした後、その認証方法に基づいて認証用情報（たとえば、ＩＤやパスワード。又は顔写真等の本人を特定する情報）を入力する。入力された認証用情報は、ダウンロードサーバ４を介してカード会社２に又は金融機関３に送信される。カード会社２又は金融機関３では、受信した認証用情報によって本人認証を行い、本人であることが正当に認証された時に、携帯電話５に対しカード情報をダウンロードする。このカード情報のダウンロードは、ダウンロードサーバ４を介して行われる。
【００１８】
このようにして、カード情報が携帯電話５に対してダウンロードされると、以後、この携帯電話の所有者はＩｒＤＡ等の近距離通信手段によって、ＣＡＴ７との間でクレジット決裁手続きを行うことができ、或いは、ＡＴＭ８を利用することができる。
【００１９】
なお、本実施形態においては、上記認証方法は、認証用情報が入力される時の入力インターフェイス、及び、入力された認証用情報を暗号化する暗号化プログラム（暗号化アルゴイズム）とする。
【００２０】
ダウンロードサーバ４には、図２に示すカード発行事業者登録ファイル１０が備えられている。
【００２１】
カード発行事業者登録ファイル１０は、カード発行事業者（カード会社２又は金融機関３）ごとに、ＩＤ１１、カード発行事業者（イシュア）名１２、カード発行事業者（イシュア）ダウンロードＷｅｂサイトのＵＲＬ１３、認証方法（認証用情報の入力のための入力インターフェイスと入力された認証用情報の暗号化プログラム）１４、正当な本人認証が行われた時にカード発行事業者からダウンロードされてくるカード情報を暗号化するための鍵１０を記憶している。
【００２２】
カード発行事業者ダウンロードＷｅｂサイトのＵＲＬ１３は、携帯電話５によって選択されたカード発行事業者２又は３のサーバに接続し、携帯電話５で入力された認証用情報（ＩＤやパスワード等）の送信やダウンロード要求を転送するのに使用される。
【００２３】
認証方法１４は、予めカード発行事業者２、３との契約に基づいて設定され、携帯電話５にてカード発行事業者が選択された時に、そのカード発行事業者に対応する認証方法を抽出してその携帯電話５に対してダウンロードするために使用される。
【００２４】
カード情報を暗号化するための鍵１５は、正当な本人認証が行われた時にカード発行事業者からダウンロードされてくるカード情報を暗号化するために使用される。
【００２５】
上記のように、ダウンロードサーバ４は、契約先の全てのカード発行事業者の認証方法を記憶するカード発行事業者登録ファイル１０を備えているために、携帯電話５を所有し、且ついずれかのカード発行事業者にアカウントを持つカード所有者は、携帯電話５をカード認証方法ダウンロードセンタ１に接続するだけで、そのカード発行事業者からカード情報をダウンロードするための認証方法を簡単にダウンロードすることができる。
【００２６】
図１に示すシステムにおいて、携帯電話５は、ダウンロードサーバ４から認証方法をダウンロードするためのプログラム（以下、単にアプリケーションという）を事前にインプリメントしておくことが必要である。インプリメントの方法は、任意であってもよいが、以下、カード発行事業者２又は３からダウンロードする方法について説明する。
【００２７】
図３は、上記アプリケーションをカード発行事業者２又は３からダウンロードするためのフローチャートを示している。
【００２８】
ステップＳＴ１において、携帯電話所有者は、パケット網６を介して所望のカード発行事業者２又は３のホームページにログインする。ここでは、カード発行事業者をイロハカードとする。なお、携帯電話所有者（利用者）は、イロハカードを現に所有しており、イロハカードの携帯サイトへの接続が可能であることが条件となる。通常、カード発行事業者２又は３にアカウントを持つ場合、すなわち、クレジットカードやキュッシュカード等が発行されている場合には、そのカード所有者に対して携帯電話５を利用してカード発行事業者２又は３の携帯サイトへの接続権利を持てる様にログインＩＤ及びパスワードが与えられている。そこで、携帯電話所有者は、携帯電話５の表示画面において、事前に与えられているログインＩＤとパスワードを入力する。
【００２９】
ログインがＯＫであると、所定のリンク先（アプリケーションダウンロードサイト）に移動要求し、アプリケーションのダウンロード要求を行う。この時、カード発行事業者２又は３は、ダウンロードサーバ４に対し、アプリケーションダウンロード要求があった携帯電話５の製造番号と、発行通番を通知する。そして、ダウンロードサーバ４は、予め登録されているアプリケーションを当該携帯電話５に対してダウンロードする。以上のステップで、携帯電話５に対して、上記アプリケーションのダウンロードが完了する。
【００３０】
ＳＴ４では、ダウンロードサーバ４との接続を切って、携帯電話メニューのアプリケーション一覧リストから、カードアプリケーションを選択して起動する。このカードアプリケーションは、上記ＳＴ１〜ＳＴ３でダウンロードをしたアプリケーションである。
【００３１】
ＳＴ５において、上記アプリケーションの初回起動時に、暗証番号登録を行わせる。登録した暗証番号は携帯電話内に保持される。なお、この時に使用される暗証番号は携帯電話所有者（利用者）のみが知りえる固有のものである。
【００３２】
ＳＴ６では、ユーザメニューが立ち上がる。メニュー中に「決済」があるが、この決済メニューを選択するためには、先に説明したカード情報のダウンロード手続きが必要である。
【００３３】
以上説明したように、図３のフローチャートでは、携帯電話５に対して、ダウンロードサーバ４からアプリケーションをダウンロードし、且つ、そのアプリケーションを立ち上げた時に最初に暗証番号を登録している。なお、同アプリケーションをインプリメントする他の方法として、携帯電話５の製造時や販売時にこのアプリケーションを記憶させてもよい。
【００３４】
次に、携帯電話５に認証方法とカード情報とをダウンロードする手順について説明する。図４は、同認証方法をダウンロードした後、その認証方法に基づいてカード情報をダウンロードする時のフローチャートを示している。
【００３５】
ＳＴ１０において、カードメニューを立ち上げて、「カードダウンロード」を選択する。この時、上記アプリケーションは、この「カードダウンロード」が選択されると自動的にダウンロードサーバ４に接続されるようにしている。すなわち、このアプリケーションには、ダウンロードサーバ４のＵＲＬが書き込まれている。ダウンロード要求があると、ダウンロードサーバ４は、携帯電話５に対してカード発行事業者（イシュア）一覧リストを送る。ＳＴ１１では、携帯電話５の表示画面にカード発行事業者の一覧リストが表示される。携帯電話所有者は、この時、カード発行事業者を選択する（この例では、「イロハカード」である）。携帯電話５は、選択されたカード発行事業者をダウンロードサーバ４に対して送信する。この時、同時に携帯電話５の製造番号及び発行通番（上記アプリケーションのダウンロード時に作成された通番）も送信する。ダウンロードサーバ４は、送られてきた携帯電話の製造番号と発行通番とが、上記図３のＳＴ３において記憶しているものと同一かどうかの判定、すなわち端末認証手続きを行う。携帯電話５から送信されてきた製造番号と発行通番が、ダウンロードサーバ４に記憶している製造番号及び発行通番の一覧リスト内にあれば、端末認証がＯＫであるとしてその結果を携帯電話５に対して送信する。同時に、カード発行事業者登録ファイル１０を検索し、上記選択されたカード発行事業者に対応する認証方法を抽出して携帯電話５に対して送信する。先に述べたように、この例において、認証方法とは、カード発行事業者登録ファイル１０に登録されている、認証のための入力インターフェイスと暗号化プログラムである。
【００３６】
ＳＴ１３では、ダウンロードされた認証方法に含まれている入力インターフェイスが自動的に起動される。図に示す例では、ＩＤとパスワードを入力するための入力画面がそれに含まれている。認証用情報としてＩＤとパスワードが入力されると、その情報は、暗号化プログラムによって暗号化される。たとえば、ＤＥＳの暗号化方法が採用されている場合には、ＩＤとパスワードをＤＥＳで暗号化する。暗号化された認証用情報はダウンロードサーバ４に送信される。さらに、その暗号化された認証用情報はダウンロードサーバ４からカード発行事業者２又は３に送信される。ダウンロードサーバ４は、暗号化された認証用情報を復号化する機能を持っていない。したがって、携帯電話５において暗号化された上記認証用情報は、ダウンロードサーバ４を介してカード発行事業者２又は３に送信されることになる。カード発行事業者２又は３においては、送信されてきた暗号化された認証用情報を復号し、ＳＴ１４において本人認証を行う。認証結果はダウンロードサーバ４を介して携帯電話５に送られる。
【００３７】
ＳＴ１５では、認証がＯＫの場合、カード情報ダウンロードのための操作案内が表示される。ダウンロードボタンが押されると、ダウンロード要求が、ダウンロードサーバ４を介してカード発行事業者２又は３に出力される。カード発行事業者２又は３では、カード情報を用意し、ダウンロードサーバ４に出力する。この時、ダウンロードサーバ４では、送られてきたカード情報を暗号化の鍵（図２の鍵１５）で暗号化して携帯電話５にダウンロードする。この暗号化は、ダウンロードサーバ４と携帯電話５間のセキリュテイを保証するためのもので、携帯電話５では、暗号化されたカード情報を上記と同じ鍵で復号して内部のメモリに記憶する。
【００３８】
以上のようにして、携帯電話５にカード情報をダウンロードしようとする時には、携帯電話５の表示画面上でメニュー選択と認証用情報を入力する操作だけでよい。
【００３９】
図１においてＣＡＴ７やＡＴＭ８で決済をするために、通常のクレジットカードやキャッシュカードに代えて携帯電話５を使用する時には、この携帯電話５をＣＡＴ７又はＡＴＭ８に近接して所定のプロトコルによってカード情報の送信を行う。その通信には、ＩｒＤＡやＢｌｕｅｔｏｏｔｈ（登録商標）等が使用可能である。
【００４０】
以上の実施形態では、携帯情報端末として携帯電話５を示したが、これに代えて、ＰＤＡ等のパケット通信が可能な端末装置であってもよい。
【００４１】
また、カード情報はダウンロードに代えてＣＤ−ＲＯＭなどのメディアを介して入手し、それをダウンロードサーバ上で係員が入力してもよい。また、カード情報を記載したペーパをカード会社から入手し、それをダウンロードサーバ上で係員が入力することも可能である。
【００４２】
【発明の効果】
この発明によれば、カード認証方法ダウンロードサーバが、カード発行事業者ごとに認証方法を記憶するカード発行事業者登録ファイルを備えているために、カード発行事業者にアカウントを持つ携帯情報端末の所有者が、その端末にカード情報をダウンロードしようとする時、わざわざカード発行事業者のサイトに接続する必要がない。すなわち、携帯情報端末の所有者は、カード認証方法ダウンロードサーバに接続するだけで、複数のカード情報を容易に同端末にダウンロードすることができるため、操作性が極めて良くなる。また、カード発行事業者は、自らのサイトでカード情報を発行するための管理を行う必要がなくなるために、運営が容易になり、システム全体としても運用効率が高くなり、コストダウンに寄与する。
【図面の簡単な説明】
【図１】この発明のカード認証方法ダウンロードサーバを含むカード情報ダウンロードシステムの構成図である。
【図２】カード発行事業者登録ファイルの構成図である。
【図３】認証方法をダウンロードするためのアプリケーションのダウンロード手続きを示すフローチャートである。
【図４】認証方法とカード情報とをダウンロードする時の手続きを示すフローチャートである。
【図１】
2004291585.tif 000003
【図２】
2004291585.tif 000004
【図３】
2004291585.tif 000005
【図４】
2004291585.tif 000006